(57)【要約】  【課題】バットなどの被把持体を握った際の握力が増強されるよう工夫した握力増強技術に関し、握力を確実かつ十分に増強でき、介護や農機作業等にも利用でき、各種の用途に適用可能とする。【解決手段】着用者の脚や手の指の少なくとも付け根の部分の間に挟まれる指肉質より硬目の弾力材質の弾圧体を設けて手を握ると、指の肉部が弾圧体で押されて変形突出したり、把持体との当接面積が増える。その結果、握力が増えて、滑り難くなる。【選択図】図１
2017184969.tif 000002
【特許請求の範囲】
【請求項１】
着用者の脚や手の指の少なくとも付け根の部分の間に挟まれる弾力材質の弾圧体を設けて被把持体との当圧面積を増やしたり弾圧力で押し出されて突出変形することを特徴とする握力増強方法。
【請求項２】
脚や手の各指を挿入する手袋であって、脚や手の指の少なくとも付け根の部分の間に弾力材質の弾圧体を前記手袋に取付けたことを特徴とする握力増強手袋。
【請求項３】
着用者の脚や手の指の少なくとも付け根の部分の間に挟まれる弾力材質の弾圧体が線材で連結されており、前記線材は対になっていて間に各指を挿通できるように構成されていることを特徴とする握力増強装置。
【発明の詳細な説明】
【技術分野】
【０００１】
本発明は、バットなどの被把持体を握った際の握力が増強されるよう工夫した握力増強技術に関する。
【０００２】
特許文献１のように、例えばゴルフ用の手袋の各指の腹の位置に、同じ素材をくるんだ布や綿等を縫いつけてスインク時にクリップとの隙間を前記素材で埋める構造が提案されている。
【先行技術文献】
【非特許文献】
【０００３】
実用新案第3056559 号
【発明の概要】
【発明が解決しようとする課題】
【０００４】
しかしながら、特許文献１のような構造では、いちいち手袋を着用する必要が有り、その手袋は、各指の腹の位置に布や綿等を縫いつける必要が有り、不便  である。また、汗をかき易い夏場にも手袋を着用する必要があるのも不便である。しかし、それ以上に不満足なのは、握力増強の効果が十分でなく、用途も限られることである。
【０００５】
本発明の技術的課題は、このような問題に着目し、手袋の着脱と関係無しに握力を確実かつ十分に増強でき、スポーツに限らず、特に介護や農機作業等にも利用でき、各種の用途に適用できる技術を実現する。
【課題を解決するための手段】
【０００６】
本発明の技術的課題は次のような手段によって解決される。請求項１は、着用者の脚や手の指の少なくとも付け根の部分の間に挟まれる指肉質より硬目の弾力材質の弾圧体を設けて、手を握ると弾圧体で指肉が押し拡げられて被把持体との当接面積が増大したり指の肉部が被把持体側に押し出されたりするので、被把持体の握力が増えることを特徴とする握力増強方法である。
【０００７】
請求項２は、脚や手の各指を挿入する手袋であって、脚や手の指の少なくとも付け根の部分の間に挟まれるように、指肉質より硬目の弾力材質の弾圧体を前記手袋に取付けことを特徴とする握力増強手袋である。
【０００８】
請求項３は、着用者の脚や手の指の少なくとも付け根の部分の間に挟まれる指肉質より硬目の弾力材質の弾圧体を設けて、手を握ると指の肉部が押し出されて被把持体との当接面積が増えたり、弾圧体で指肉が押し出されたりして、被把持体の握力が増すことを特徴とする握力増強方法で装置である。
【発明の効果】
【０００９】
請求項１のように、着用者の脚や手の指の少なくとも付け根の部分の間に挟まれる指肉質より硬目の弾力材質の弾圧体を設けて手を握ると、指の肉部が弾圧体で押されて変形突出したり、把持体との当接面積が増える。その結果、握力が増えて、滑り難くなる。
【００１０】
脚や手の各指を挿入する手袋が、請求項２のように、脚や手の指の少なくとも付け根の部分の間に挟まれるように、弾力材質の弾圧体が前記手袋に取付けてあるので、この手袋を着用して手を握ると、弾圧体によって指肉が押し出されて被把持体との当接面積が殖えたり、指肉部が押し出されて変形突出して、滑り摩擦力が増えて、滑り難くなる。
【００１１】
請求項３のように、着用者の脚や手の指の少なくとも付け根の部分の間に挟まれる指肉質より硬目の弾力材質の弾圧体を設けて、被把持体との当接面積が増えたり、指肉部が押し出されて変形突出し、被把持体の握力が増すので、滑りが減少して、滑り難くなる。
【図面の簡単な説明】
【００１２】
【図１】右手の各指の付け根の間に挟まれる弾圧体を設けた正面図である。
【図２】裸の右手に線材付きの指肉質より硬目の弾圧体を取付けた指先から見た平面図である。
【図３】手袋の特定位置すなわち、各指間の谷底に弾圧体を取付けた例を示した正面図である。
【図４】手袋の指内部に弾圧体を取付けた例の正面図である。
【図５】手袋の各指外部に弾圧体を取付けた例の正面図である。
【図６】指肉質より硬目の弾圧体の形状を示す正面図である。
【発明を実施するための形態】
【００１３】
次に本発明による握力増強方法及び握力増強手段が実際上どのように具体化されるか実施形態を説明する。図１は着用者の右手の各指、すなわち人指し指１、中指２、薬指３、小指４の付け根Ｒの間に挟まれる弾圧体Ｓを設けた正面図である。指先には、把握力は余り作用しないので、少なくとも付け根の部分Ｒの間の部位に挟まれるだけで足りる。弾圧体Ｓの材質は、指肉質より硬くかつ弾力が有れば足りるが、硬質の合成樹脂でもよい。なお、指は、着用者の脚や指も可能だが、脚の指で把持することは少ないので、手の指が多用される。
【００１４】
しかし、弾圧体Ｓのみを手指の間に安定良く保持させるのは困難なため、図２の場合は、各弾圧体Ｓの裏表寄りの部位に連結ゴム線材Ｗ１、Ｗ２を挿通してある。従って、各指の先端から見ると、図２のようになる。この図の裏表の線材Ｗ１とＷ２との間に各指１、２、３、４を挿通すると、図１のように、各指の付け根Ｒの間に弾圧体Ｓが挟まれる状態となる。この状態で、例えば野球のバットを握ると、前記弾圧体Ｓ…が変形して、或いは指肉が押し出されて変形し、バットとの当接面積が増えるため、あるいは、各指の腹が押し出されて、被把持体であるバットの側に変形突出するので、握力が増えて、滑り難くなる。
【００１５】
図３は連結線材Ｗ１、Ｗ２に代えて手袋をはいた例であり、各指１…を挿入する手袋の各指ａ、ｂ、ｃ、ｄ…の内部で、各指間の底底部に指肉質より硬目の弾圧体Ｓを接着や縫い付けで取付けてある。その結果、正面から見ると図１のように、各指の付け根Ｒの間に弾圧体Ｓが挟まれる状態となる。この状態で、例えば野球のバットを握ると、前記弾圧体Ｓ…で指肉が押し出されたり押し拡げられて、当圧面積を殖える。あるいは、バットの側に変形突出するので、握力が増えて、滑り難くなる。
【００１６】
図４は、弾圧体Ｓが手袋の各指ａ、ｂ、ｃ、ｄの内面に取付けてある。これに対し、図５のように各指ａ、ｂ、ｃ、ｄの外面に接着したり縫い付けてもよい。
握力は各指の根本寄りが出し易いので、弾圧体Ｓの被把持体との当接面積は各指の根本Ｒ寄りを大きめにするのが有利である。そのため、図６のように、前記弾圧体Ｓの形状を、各指の根本寄りＳ′を大きくした形状が合理的である。図１〜図５でも、想像線で示すように各指１、２、３、４の根本Ｒ寄りが細くならないようにしてある。
【産業上の利用可能性】
【００１７】
以上のように本発明によると、着用者の脚や手の指の少なくとも付け根の部分の間に挟まれる指肉質より硬目の弾力材質の弾圧体を設けて、手を握ると、指肉部が被把持体側に押し出されて変形突出したり、把持体との当接面積が弾圧体で増えるので、手を握って被把持体を持った際に握力が増えて、滑り難くなる。従って、介護の際にも力が入り易く、安全である。
【符号の説明】
【００１８】
１  人指し指
２  中指
３  薬指
４  小指
ａ〜ｄ  手袋の各指
Ｓ  弾圧体
Ｗ１、Ｗ２．連結ゴム線材
【図１】
2017184969.tif 000003
【図２】
2017184969.tif 000004
【図３】
2017184969.tif 000005
【図４】
2017184969.tif 000006
【図５】
2017184969.tif 000007
【図６】
2017184969.tif 000008